(57)【要約】【課題】歩道域内に設置した電線共同溝に据え付ける地上機器を、車道側に近寄せて電線共同溝位置からずらして配置し、狭い歩道でも広く使用できるようにする。【解決手段】歩道域Ｗ内に埋設する電線共同溝本体１と、この電線共同溝本体１の上部に配置する地上機器Ｐを支持する蓋体１０とから成る。電線共同溝本体１の上部開口位置で形成した左右の支持縁７と、支持縁７に沿って地上機器Ｐを位置決め調整したときの各種ケーブルＣを挿通させるケーブル挿通部４２と、電線共同溝本体１の上部開口を閉塞する蓋体１０に形成した位置決め調整部６と、地上機器Ｐを支持する機器支持縁を備え、位置決め調整部６に位置決め固定する機器支持蓋２０とを形成する。機器支持蓋２０は、支持縁７上で位置決め調整する支持枠部と、地上機器Ｐを載置させる機器支持縁と、位置決め調整方向に沿って位置決め後に支持縁７にネジ止め固定するようにして成る。【選択図】図１
2010200559.tif 000002
【特許請求の範囲】
【請求項１】
歩道域内に埋設される電線共同溝本体と、この電線共同溝本体の上部に配置する地上機器を支持する蓋体とから成り、電線共同溝本体の上部開口位置で地上機器を支持する左右の支持縁と、支持する地上機器の少なくとも一部を電線共同溝本体上から外方に配置したときの各種ケーブルを挿通させるよう電線共同溝本体に形成したケーブル挿通部と、電線共同溝本体の上部開口を閉塞する蓋体の一部に形成した位置決め調整部と、地上機器を支持する機器支持縁を備えていて、位置決め調整部に配置位置を位置決め調整自在にして固定される機器支持蓋とから成ることを特徴とする地上機器の設置位置が調整可能な電線共同溝装置。
【請求項２】
電線共同溝本体は、位置決め調整部における機器支持蓋の地上機器の支持側の側壁にケーブル挿通部を形成してある請求項１に記載の地上機器の設置位置が調整可能な電線共同溝装置。
【請求項３】
ケーブル挿通部は、側壁を肉薄に形成するか、側壁を開口部に至るに伴ない次第に肉薄にして傾斜面状とするか、側壁の一部を切除して電線共同溝本体外側に妻壁材を配装するか、延長ボックスを連結するかして成る請求項１または２に記載の地上機器の設置位置が調整可能な電線共同溝装置。
【請求項４】
位置決め調整部は、歩道域における車道との境界側の電線共同溝本体の上部開口に配置形成してある請求項１乃至３のいずれかに記載の地上機器の設置位置が調整可能な電線共同溝装置。
【請求項５】
位置決め調整部は、機器支持蓋の地上機器設置側に沿う側縁に、位置決め調整部内方に張り出すことで機器支持蓋を支持する左右の支持縁を有し、立脚状の側縁に複数の調整位置決め孔を位置決め調整方向に沿って開穿配列して成る請求項１乃至４のいずれかに記載の地上機器の設置位置が調整可能な電線共同溝装置。
【請求項６】
機器支持蓋は、支持すべき地上機器の底部における外形に対応して、これを囲繞し、位置決め調整部における支持縁上で位置決め調整する支持枠部と、地上機器を載置させるよう支持枠部の内側面に張り出し状に形成した機器支持縁と、支持枠部においての位置決め調整方向に沿って複数の位置決め調整孔を開穿配列して成る請求項１乃至５のいずれかに記載の地上機器の設置位置が調整可能な電線共同溝装置。
【請求項７】
調整位置決め孔と位置決め調整孔とは、ナット止めされる取付ボルトが挿通されるに足る直径を有し、少なくともいずれか一方は円孔状に開穿配列され、いずれか他方は位置決め調整方向に沿う長孔状にして開穿されて成る請求項５または６に記載の地上機器の設置位置が調整可能な電線共同溝装置。
【請求項８】
機器支持蓋を位置決め調整したときの空隙部分を閉塞するスペーサーを備えている請求項１乃至７のいずれかに記載の地上機器の設置位置が調整可能な電線共同溝装置。
【請求項９】
スペーサーは、所定間隔を隔てている前後壁と、この前後壁端面相互で架装されて端面開口を閉塞し、位置決め調整部の立脚側縁に当接する左右側壁とから平面で長矩形状を呈し、内部には、充填されるモルタル材等を支持する支持底板を備えている請求項８に記載の地上機器の設置位置が調整可能な電線共同溝装置。
【請求項１０】
機器支持蓋を位置決め調整したときの空隙部分を閉塞する隙間閉塞板を備えている請求項１乃至９のいずれかに記載の地上機器の設置位置が調整可能な電線共同溝装置。
【請求項１１】
隙間閉塞板は、位置決め調整部裏面あるいは機器支持蓋裏面に、機器支持蓋の位置決め調整方向に沿って出没するように支持固定されるものとなっている請求項１０に記載の地上機器の設置位置が調整可能な電線共同溝装置。
【発明の詳細な説明】
【技術分野】
【０００１】
本発明は、電線共同溝に関連して地上に据え付ける変圧器、開閉器等の地上機器を歩道、特に狭幅員歩道上に設置するとき、電線共同溝本体の左右の支持縁による地上機器の支持及び電線共同溝本体に対するケーブル挿通部の形成と共に、それらの地上機器を車道側にずらせ、例えば縁石に近づけて配置できるように蓋部材の一部が位置決め調整機能を備えている地上機器の設置位置が調整可能な電線共同溝装置に関する。
【背景技術】
【０００２】
従来から、地下に構築される電線共同溝に関連して地上に各種の地上機器が設置されるとき、これらの地上機器は電線共同溝における地上面の開口部で施蓋される蓋上に据え付けられる。例えば特許文献１において開示されている地上機器の受枠に支持されるものとしたり、特許文献２において開示されている通行者向けのベンチを模した付加設備のものとしたり、特許文献３において開示されている上下昇降出没式のボックス装置のものとしたりしている。
【０００３】
すなわち、特許文献１における開閉器塔や変圧器塔等の地上機器の受枠及びこの受枠におけるケーブル配線用のアダプタは、共同溝に載せた受枠本体の開口に被せて固定した取付け蓋に、地上機器の底面に含まれる領域に対する部分を開放した開口を設け、この開口にケーブル拘束のためのアダプタを交換可能に備えるものである。特許文献２における地中配線の地上機器装置は、歩道に設置される通行者向け付加設備（ベンチ）が見掛け上は付加設備の構造体の一部として構成される収納箱体に地中配線用の地上機器を収設したものである。特許文献３における可動形作業用ボックス装置は、上面閉鎖の地中埋設される収容ボックス内に、機器部を搭載した基盤を地上側に出入り可能に設け、地上側に設置の入力部を介した人力操作で昇降移動できるようにしたものである。
【先行技術文献】
【特許文献】
【０００４】
【特許文献１】特開平１０−１２６９４１号公報
【特許文献２】特開２０００−１８８８１８号公報
【特許文献３】特開２００６−６０２０号公報
【発明の概要】
【発明が解決しようとする課題】
【０００５】
また、地上機器自体は交通往来上の制約から歩道上に配置されるのが一般的であり、上述した従来から提案されている地上機器を設置するための諸装置・機構においても、歩道に設けた共同溝自体の蓋上に地上機器を支持している。このように地上機器を歩道上に設置するとき、車道等の道路のカーブや障害物・埋設物等で車道側に寄らずに歩車道境界から離れた歩道中央側にずれてしまうことがある。また、これらは道路が直線の場合、曲線の場合でも異なり、曲線の場合の内回り部分に設置されるとき、あるいは車道側に例えば水道管その他のいわゆるライフライン設備が埋設されるとき等では、歩道中央側にずれてしまうのである。そうすると、歩道が狭くなってしまうから、特に歩道幅員が狭い場所すなわち狭幅員歩道では、有効な歩道幅を確保するために地上機器は可能な限り車道側に寄せるようにする必要がある。
【０００６】
ところが、このように地上機器を車道側に寄せるには、上述した従来の諸装置・機構では、共同溝自体の直上で地上機器を支持するのみであり、また地上機器自体を目立たなくしても、必要な歩道幅は確保できず、更に共同構内の機器点検作業の効率性を考慮しても、支持した地上機器がその占有面積によって歩道を実質的に狭くしていることに変わりはない。一方、近時は無電柱化推進計画が進められており、これには道路の歩道有効幅員が２．０ｍ以上であることの規定があることを鑑みると、この規定には対応できないものとなっている。
【０００７】
そこで本発明は叙上のような従来存した諸事情に鑑み創出されたもので、地中に埋設される電線共同溝における開口部の地上面で支持されて歩道上に配置される変圧器、開閉器等の地上機器を、例えば道路のカーブ、障害物・埋設物等があっても、また狭幅員歩道にあっても、電線共同溝の左右の支持縁による地上機器の支持及び電線共同溝本体に対するケーブル挿通部の形成と共に、車道側に寄せるようにずらして、例えば縁石に近づけて位置決め設置でき、その結果、歩道を広くして使用でき、歩行の障害にならないようにした地上機器の設置位置が調整可能な電線共同溝装置を提供することを目的とする。
【課題を解決するための手段】
【０００８】
上述した課題を解決するため、本発明にあっては、歩道域Ｗ内に埋設される電線共同溝本体１と、この電線共同溝本体１の上部に配置する地上機器Ｐを支持する蓋体１０とから成り、電線共同溝本体１の上部開口位置で地上機器Ｐを支持する左右の支持縁７と、支持する地上機器Ｐの少なくとも一部を電線共同溝本体１上から外方に配置したときの各種ケーブルＣを挿通させるよう電線共同溝本体１に形成したケーブル挿通部４２と、電線共同溝本体１の上部開口を閉塞する蓋体１０の一部に形成した位置決め調整部６と、地上機器Ｐを支持する機器支持縁２２を備えていて、位置決め調整部６に位置決め調整自在にして固定される機器支持蓋２０とから成ることを特徴とする。
電線共同溝本体１は、位置決め調整部６における機器支持蓋２０の位置決め調整側の側壁１Ａにケーブル挿通部４２を形成してあり、より具体的には、ケーブル挿通部４２は、側壁１Ａを肉薄に形成するか、側壁１Ａを開口部に至るに伴ない次第に肉薄にして傾斜面状とするか、側壁１Ａの一部を切除して電線共同溝本体１外側に妻壁材４０を配装するか、延長ボックス４１を連結するかして成る。
位置決め調整部６は、歩道域Ｗにおける車道Ｔとの境界側の電線共同溝本体１の上部開口に配置形成することができ、また、機器支持蓋２０の地上機器Ｐ設置側に沿う側縁に、位置決め調整部６内方に張り出すことで機器支持蓋２０を支持する左右の支持縁７を有し、立脚状の側縁に複数の調整位置決め孔８を位置決め調整方向に沿って開穿配列して構成することができる。
機器支持蓋２０は、支持すべき地上機器Ｐの底部における外形に対応して、これを囲繞し、位置決め調整部６における支持縁７上で位置決め調整する支持枠部２１と、地上機器Ｐを載置させるよう支持枠部２１の内側面に張り出し状に形成した機器支持縁２２と、支持枠部２１においての位置決め調整方向に沿って複数の位置決め調整孔２４を開穿配列して構成することができる。
調整位置決め孔８と位置決め調整孔２４とは、ナット２６止めされる取付ボルト２５が挿通されるに足る直径を有し、少なくともいずれか一方は円孔状に開穿配列され、いずれか他方は位置決め調整方向に沿う長孔状にして開穿されていることで構成することができる。
更には、機器支持蓋２０を位置決め調整したときの空隙部分を閉塞するスペーサー３０を備えることができ、このスペーサー３０は、所定間隔を隔てている前後壁３１と、この前後壁３１端面相互で架装されて端面開口を閉塞し、位置決め調整部６の立脚側縁に当接する左右側壁３２とから平面で長矩形状を呈し、内部には、充填されるモルタル材等を支持する支持底板３３を備えることで構成することができる。
また、同様に、隙間閉塞板３５を備えることもでき、この隙間閉塞板３５は、位置決め調整部６裏面あるいは機器支持蓋２０裏面に、機器支持蓋２０の位置決め調整方向に沿って出没するように支持固定されるものとなっている。
【０００９】
以上のように構成された本発明に係る地上機器の設置位置が調整可能な電線共同溝装置にあって、歩道域Ｗに埋設される電線共同溝本体１の上部開口に、電線共同溝本体１内の各種ケーブルＣに関連して設置される地上機器Ｐを、電線共同溝本体１に形成の支持縁７及びケーブル挿通部４２によって、上部開口面で位置決め調整可能な機器支持蓋２０に支持できるのであり、機器支持蓋２０による移動位置決め調整、更には移動調整後で設置支持される地上機器Ｐ内との各種ケーブルＣの挿通空間の確保等で地上機器Ｐを例えば車道Ｔ側の縁石Ｂに近接させて位置決め固定させる。
また、電線共同溝本体１のケーブル挿通部４２は、地上機器Ｐが車道Ｔ側に位置決め調整されたときの電線共同溝本体１と地上機器Ｐとの間での各種ケーブルＣの挿通案内を円滑、確実にさせる。そして、左右の支持縁７による地上機器Ｐの荷重を十分に支持した状態で地上機器Ｐの位置決め調整でき、その位置決め調整されるときの電線共同溝本体１外への配置のはみ出し長さ・幅等に対応して、地上機器Ｐの支持側の側壁１Ａを肉薄にするか、傾斜面状とするか、切除して妻壁材４０を配装するか、延長ボックス４１を連結するかの予めの選択を可能にする。しかも、このように電線共同溝本体１外にはみ出すようになる地上機器Ｐの荷重は、位置決め調整部６、機器支持蓋２０それぞれにおける左右部分で支持されており、地上機器Ｐを位置決め調整するときの位置決め方向の前後に部材がないことで、その位置を自在に調整設定させる。
機器支持蓋２０を支持する位置決め調整部６は、その支持縁７上で機器支持蓋２０を位置決め移動調整させて所定位置で据え付けさせるものとし、その位置決め部位で合致する調整位置決め孔８と位置決め調整孔２４とに挿通させる取付ボルト２５をナット２６止めすることで固定させる。このときの調整位置決め孔８、位置決め調整孔２４の何れかは長孔状であることで、対応合致を円滑にさせる。
スペーサー３０、隙間閉塞板３５は、位置決め調整後で生じ得る空隙部分を閉塞し、モルタル材等の充填で歩道面と同様な体裁のものとして形成させる。
【発明の効果】
【００１０】
本発明は以上説明したように構成されているため、歩道域Ｗ内に埋設される電線共同溝本体１上で所定の地上機器Ｐが据え付けられ、その据え付け位置が車道Ｔ境界から離れることで歩道側が狭くなる場合、あるいは狭幅員歩道である場合等で、電線共同溝本体１の左右の支持縁７による地上機器Ｐの支持及び電線共同溝本体１に対するケーブル挿通部４２の形成と共に、地上機器Ｐを車道Ｔ側の縁石Ｂに近接するように寄せて配置でき、所定の歩道幅員を確保し、歩道側を広くすることができる。そのため、道路がカーブしている場合や障害物・埋設物等で電線共同溝本体１を車道から離れて埋設した場合でも、その埋設位置にかかわらず、電線共同溝本体１上に据え付ける地上機器Ｐを車道Ｔ側に寄せて、例えば縁石Ｂに近づけて設置することができる。
【００１１】
すなわちこれは、本発明において、歩道域Ｗ内に埋設される電線共同溝本体１の上部に蓋体１０によって地上機器Ｐを配置するとき、地上機器Ｐの荷重を支持する左右の支持縁７と、各種ケーブルＣを挿通させるよう電線共同溝本体１に形成したケーブル挿通部４２と、電線共同溝本体１の上部開口を閉塞する蓋体１０の一部に形成した位置決め調整部６と、地上機器Ｐを左右側部で支持する機器支持縁２２を備えていて、位置決め調整部６に位置決め調整自在にして固定される機器支持蓋２０とから成るものとすることで、地上機器Ｐを電線共同溝本体１外にはみ出すように位置決め調整可能で、また、はみ出してもその荷重等を十分に支持可能にしたからである。そのため、電線共同溝本体１への支持縁７による地上機器Ｐの支持、ケーブル挿通部４２を経ての地上機器Ｐとの各種ケーブルＣの挿通支持、地上機器Ｐの位置決め調整による車道Ｔ側にずらした配置、位置決め調整後の固定支持を可能にし、しかもこれらは現場対応での調整後の位置決め等をも可能にしている。
【００１２】
また、電線共同溝本体１の上部開口位置で地上機器Ｐを支持する左右の支持縁７を設けてあるから、電線共同溝本体１上で、この支持縁７に沿った地上機器Ｐの移動調整を可能にする。しかも、その移動側で地上機器Ｐの荷重に影響がない側壁１Ａにケーブル挿通部４２を形成できることで、移動量の大小にかかわらず、ケーブル挿通部４２を経ての地上機器Ｐとの各種ケーブルＣの挿通支持を円滑にでき、その結果、地上機器Ｐの位置決め調整による車道Ｔ側にずらした配置、位置決め調整後の固定支持を可能にする。
【００１３】
このように形成した電線共同溝本体１のケーブル挿通部４２は、位置決め調整部６によって機器支持蓋２０を所定の移動量で車道Ｔ側に移動設置しても、地中に埋設固定される電線共同溝本体１と、この電線共同溝１上で移動調整した位置決め後の機器支持蓋２０に設置支持される地上機器Ｐとの間に挿通させる各種テーブルＣは円滑、確実に引入れできる。しかも、そのはみ出し間隔が小さい場合には電線共同溝本体１の側壁１Ａを肉薄に形成したり、傾斜面状とすることで、大きい場合には側壁１Ａの一部を切除して妻壁材４０を配装するか、延長ボックス４１を連結するかすることで対応できる。そのため、電線共同溝本体１の直上に地上機器Ｐを載置する場合に限らず、カーブした車道Ｔの内側に設置する場合、更には車道Ｔ側の歩道域Ｗに各種のいわゆるライフライン設備等が埋設されていて、これらを回避するように、電線共同溝本体１外にはみ出すように設置する場合等でも、これらの様々な事情に対応できる。
【００１４】
位置決め調整部６は、その左右の支持縁７によって機器支持蓋２０を位置決め調整させて支持できる。そして、立脚状の側縁に開穿配列した調整位置決め孔８に対して、位置決め移動調整後の機器支持蓋２０における支持枠部２１に開穿配列した位置決め調整孔２４が合致した位置で取付ボルト２５、ナット２６にて取り付けできるから、機器支持蓋２０は位置決め調整部６上の所定位置で確実に支持固定でき、振動その他によって離反、解体されることもない。
【００１５】
調整位置決め孔８、位置決め調整孔２４による機器支持蓋２０の移動位置決め固定に際し、いずれか一方は長孔状であるから、適切な地上機器Ｐ位置とさせるために移動すべき機器支持蓋２０の位置決め調整長さが種々に異なることになっても適確に合致でき、取付ボルト２５、ナット２６によって確実に支持固定できる。
【００１６】
機器支持蓋２０を移動位置決め調整したとき、特に電線共同溝本体１の外方に大きくはみ出すことがあっても、電線共同溝本体１の上部開口で生じる空隙部分を閉塞するスペーサー３０、隙間閉塞板３５を備えているから、位置決め調整部６上で機器支持蓋２０位置を位置決め調整したとき、これが相当な長さの程度で車道Ｔ側に寄せられることで機器支持蓋２０後方に空隙部分が生じても、スペーサー３０、隙間閉塞板３５によってそれを閉塞でき、所定のモルタル材等の充填で、歩道面と同様な体裁とすることができ、何らの違和感も生じさせない。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための最良の形態を示す地上機器の設置位置を変更調整したときの断面図で、その（ａ）は例えば０〜１００ｍｍの範囲で変更した場合、（ｂ）は例えば１００〜２００ｍｍの範囲で変更した場合、（ｃ）は例えば２００〜３００ｍｍの範囲で変更した場合である。
【図２】同じく歩道上において配置位置を変更調整する場合の図１中における（ａ），（ｂ），（ｃ）に対応した地上機器のそれぞれの位置を示す概略平面図である。
【図３】同じく蓋体部分の分解斜視図である。
【図４】同じく図３におけるＸ−Ｘ線に沿う断面図である。
【図５】同じく図３におけるＹ−Ｙ線に沿う断面図である。
【発明を実施するための形態】
【００１９】
以下図面を参照して本発明を実施するための最良の一形態を説明すると、図において示される符号１は地中に埋設されるボックス状の電線共同溝本体であり、この電線共同溝本体１は、例えば歩道域Ｗにおける車道Ｔとの境界である縁石Ｂ側に寄せた位置に設置され、その上部開口は地上面に位置していて、例えば歩道面と同様な体裁としてある表面を備えた蓋体１０によって施蓋されている（図１、図２参照）。
【００２０】
蓋体１０は、電線共同溝本体１の上部開口を閉塞すると共に、その上面の所定位置に、地中配線の各種ケーブルＣに関連して据え付けられる変圧器、開閉器等の地上機器Ｐを支持している。すなわち、蓋体１０自体は、電線共同溝本体１の上部開口に設けられた蓋受枠体２によって支持され、例えば図示のように、電線共同溝本体１内自体の点検、保守等のために開閉されるよう、施錠可能にして着脱される固定蓋１１と、地上機器Ｐを左右の支持縁７によって支持固定させて、電線共同溝本体１における上部開口面で支持位置が位置決め調整される機器支持蓋２０とによって、形成されている。
【００２１】
支持縁７自体は、電線共同溝本体１の上部開口縁に直接的に形成することも、機器支持蓋２０を支持する後述の位置決め調整部６における左右縁部位に形成されることもあり、いずれにしても、地上機器Ｐを位置決めさせるときの変更調整が支持縁７に沿って可能なように位置決め調整手段９によって設けられる。そして、その設置位置の変更は電線共同溝本体１が埋設された歩道域Ｗ内の位置に比し、多くは車道Ｔ側に寄せ、その縁石Ｂに近接させた位置とされ、地上機器Ｐの一部でも電線共同溝本体１の外方にはみ出している。それに伴い、地上機器Ｐの荷重を支持する左右の支持縁７には影響がない、地上機器Ｐが配置される支持側の側壁１Ａには、電線共同溝本体１内と地上機器Ｐ内とで各種ケーブルＣを通線させる挿通区域であるケーブル挿通部４２を形成してある。このケーブル挿通部４２自体は、機器支持蓋２０の位置決め調整によって予定される位置決め調整変更後の長さ・幅に相当する分に対応した種々なタイプのものとして形成された電線共同溝本体１が用意される。
【００２２】
また、地上機器Ｐが位置決め調整されて所定位置に固定されるとき、地上機器Ｐ自体はその一部でも機器支持蓋２０によって電線共同溝本体１の外方に位置することになる。こうした場合に、機器支持蓋２０上に据え付けられる地上機器Ｐ内と、電線共同溝本体１内との間で通線される各種ケーブルＣの円滑配線、更には機器支持蓋２０の支持安定性等を図るために、電線共同溝本体１には、地上機器Ｐを移動させた側の電線共同溝本体１の側壁１Ａにケーブル挿通部４２を形成してある。このケーブル挿通部４２は、側壁１Ａを内側部分あるいは外側部分で切除等することで肉薄状に形成するか、側壁１Ａを開口部に至るに伴ない次第に肉薄にして内側面を傾斜面状とするか（図１（ａ）参照）、側壁１Ａの一部を切除して電線共同溝本体１外側に妻壁材４０を例えばアンカーボルト等を介して固定配装するか（図１（ｂ）参照）、延長ボックス４１を一体的に連結するか（図１（ｃ）参照）して成る。尚、場合によっては、側壁１Ａを切除しないときでも、側壁１Ａ外側面に重ねるようにして妻壁材４０を配装することができる。
【００２３】
このような種々のタイプの電線共同溝本体１の採用は、図２中の（ａ），（ｂ），（ｃ）に示すように、歩道域Ｗにおける幅員の相違、直線状であるか、曲線状であるか、地下埋設物等の有無その他の現場状況によって選択される。いずれにしても、機器支持蓋２０の位置決め調整移動量、電線共同溝本体１のタイプの選択、その組合せによって、地上機器Ｐは縁石Ｂに可能な限り近づけられて設置されるものとしてある。
【００２４】
また、図示例にあっては、車道Ｔに沿って長手方向が合致されて歩道脇に配置された直方体ボックス状の電線共同溝本体１における上部開口の一半部側では固定蓋１１によって施蓋され、他半部側では、その歩道側半分が同様に固定蓋１１によって施蓋され、車道側半分が機器支持蓋２０によって施蓋されることで地上機器Ｐを支持する部位となっている。また、蓋受枠体２は、これに対応して一半部側の固定蓋１１を支持載置させる固定蓋支持枠部３と、他半部側の固定蓋１１、機器支持蓋２０を支持載置させる機器支持蓋支持枠部４とに分割されていて、これらの分割部分は、場合によれば相互にボルト、ナットによって締結一体化されるものとなっている。このような分割、結合形態を採用することで、地上機器Ｐの配置位置を位置決め調整させるための機器支持蓋２０の使用の要否を現場において選択し得るようにしている。尚、固定蓋１１、機器支持蓋２０それぞれは、固定蓋支持枠部３、機器支持蓋支持枠部４それぞれにおいて、それらの内側に形成された断面でほぼＬ字状の支持縁７上に載置されることで支持されるものとなっている。
【００２５】
図３乃至図５に示すように、位置決め調整手段９において、機器支持蓋支持枠部４は、前記蓋受枠体２上にネジ止め等によって固定され、固定蓋１１を支持固定する蓋固定部５と、機器支持蓋２０を位置決め調整して支持固定する位置決め調整部６とを有する。位置決め調整部６は、機器支持蓋２０の位置決め調整方向に沿う側縁に、位置決め調整部６内方に張り出すことで機器支持蓋２０を支持する左右の支持縁７を有し、立枠状の側縁に複数の調整位置決め孔８を位置決め調整方向に沿って開穿配列して成り、歩道域Ｗにおける車道Ｔとの境界側に位置させて電線共同溝本体１の上部開口に配置形成してある。また、位置決め調整部６は、機器支持蓋２０の移動位置決め調整を円滑にするため、位置決め調整方向の前方にはこれを阻害する何らかの部材等は設けられておらず、機器支持蓋２０の左右両縁のみで支持縁７上に位置決め固定できるようにしてある。
【００２６】
機器支持蓋２０は、支持すべき地上機器Ｐの底部における外形に対応して、これを囲繞し、位置決め調整部６における支持縁７上で位置決め調整する立枠状の支持枠部２１と、地上機器Ｐを載置させるよう支持枠部２１の例えば半ば高さ位置の内側面に張り出し状に形成した機器支持縁２２と、この機器支持縁２２を下方から支持している例えば三角形状の梁片２３とを備え、支持枠部２１においての位置決め調整方向に沿って複数の位置決め調整孔２４を開穿配列して成る。
【００２７】
位置決め調整部６における調整位置決め孔８と、機器支持蓋２０における位置決め調整孔２４とは、機器支持蓋２０が位置決め調整部６に載置されたときに互いに合致する高さ位置としてあると共に、機器支持蓋２０の位置決め移動調整によっても、いずれかの位置の位置決め調整孔２４と位置決め調整部６とが合致するようにしてある。また、調整位置決め孔８と位置決め調整孔２４とは、ナット２６止めされる取付ボルト２５が挿通されるに足る直径を有し、例えばいずれか一方は例えば４０ｍｍの等間隔で開穿配列され、いずれか他方は位置決め調整方向に沿う長孔状にして開穿されている。図示にあっては、調整位置決め孔８が等間隔で開穿された円孔状に形成され、位置決め調整孔２４が２個の長孔状に形成されているも、長孔と円孔との組合せは適宜に設定されるのは勿論である。
【００２８】
図中符号１５は、機器支持蓋支持枠部４における蓋固定部５と位置決め調整部６とを区画している二重の区画壁であり、区画壁１５相互間には、歩道面と同様な体裁となし得るよう充填されるモルタル材等を支持する支持底片１６を配装してある。
【００２９】
また、位置決め調整部６上で機器支持蓋２０の支持位置が位置決め移動調整されるとき、機器支持蓋２０が前方位置に設定される等で区画壁１５と機器支持蓋２０との間が空隙となる場合に、その空隙部分を閉塞するスペーサー３０が用意されている。このスペーサー３０は、機器支持蓋２０外側面、区画壁１５外側面にそれぞれ当接されるよう所定間隔を隔てている前後壁３１と、この前後壁３１端面相互で架装されて端面開口を閉塞し、位置決め調整部６の立脚側縁に当接する左右側壁３２とから平面で長矩形状を呈し、内部には、充填されるモルタル材等を支持する支持底板３３を備える。このスペーサー３０は、前後壁３１間隔を一定の例えば１００ｍｍの幅員としてあって、空隙幅員に対応して所定数で区画壁１５と機器支持蓋２０との間に介装される。もとより、スペーサー３０の前後壁３１の間隔幅員はこれに限定されるものではない。
【００３０】
更には、予め用意されたスペーサー３０によっては空隙部分が閉塞されない場合には、空隙部分を閉塞するプレート状の隙間閉塞板３５が用意されている。この隙間閉塞板３５は、位置決め調整部６すなわち機器支持蓋支持枠部４における蓋固定部５裏面、あるいは機器支持蓋２０裏面に、位置決め調整部６上で機器支持蓋２０の位置決め調整方向に沿って出没、スライドするように支持固定され、必要あれば、蓋固定部５、機器支持蓋２０相互間の裏面で架装される。尚、前記スペーサー３０はこの隙間閉塞板３５上で支持されるようになっていてもよい。
【００３１】
尚、図中符号Ｇは所定高さを備えた支柱状のガードポストであり、例えば地上機器Ｐの両脇に配置されることで、車道Ｔから逸脱進入することがある各種車両による衝突等から地上機器Ｐを保護するようにしている。
【００３２】
次にこれの使用の一例を説明すると、図２に示すように歩道域Ｗ内に埋設された電線共同溝本体１における地上機器Ｐが歩道面に配置されるとき、それが例えば道路のカーブ位置にある場合に電線共同溝本体１の埋設位置は歩道の内側に位置決めされ、その結果、地上機器Ｐも歩道の内側寄りに配置されることになる。こうしたとき、地上機器Ｐを支持する電線共同溝本体１の上部開口における機器支持蓋２０を歩道の外側である車道Ｔ側に寄せるように位置決め移動調整することで、歩道側を広くする。
【００３３】
すなわち、電線共同溝本体１の蓋受枠体２に、上部開口の一半部側では固定蓋支持枠部３によって固定蓋１１を配置固定し、他半部側では機器支持蓋支持枠部４のその歩道側に固定蓋１１を、車道側に機器支持蓋２０を配置する。そして、車道側へ寄せるのに必要とする間隔で、例えば位置決め調整範囲が０〜１００乃至２００ｍｍであれば側壁１Ａを肉薄に形成したり、側壁１Ａの一部を傾斜面としたり（図１（ａ）、図２中の（ａ）参照）、妻壁材４０を電線共同溝本体１外側面に設けたり、（図１（ｂ）、図２中の（ｂ）参照）０〜３００ｍｍであれば電線共同溝本体１の外側壁の一部を除去して延長ボックス４１を取り付ける（図１（ｃ）、図２中の（ｃ）参照）等によって、ケーブル挿通部４２を形成する。
【００３４】
尚、ケーブル挿通部４２の構成が異なる電線共同溝本体１の各タイプのいずれかが、設置現場における地上機器Ｐの設置位置に対応するケーブル挿通部４２を備えたものとして予じめ選択されており、工場サイドで成型等されることで現場に搬入される。
【００３５】
一方、位置決め調整手段９において、機器支持蓋２０は、機器支持蓋支持枠部４の位置決め調整部６上の左右で位置決め移動調整し、所定位置の位置決め調整孔２４と調整位置決め孔８と合致させて取付ボルト２５、ナット２６にて位置決め調整部６に固定する。こうした左右での位置決め調整による固定支持でも、地上機器Ｐの荷重は電線共同溝本体１上で十分に支持可能である。そして、位置決め調整間隔に対応して所定数のスペーサー３０を区画壁１５と機器支持蓋２０との間に介装し、スペーサー３０、隙間閉塞板３５上にモルタル材等を充填し、歩道面と同様な体裁とさせる。
【００３６】
このように、地上機器Ｐを設置すべき位置に対応して移動調整されることで位置決めされた機器支持蓋２０上に地上機器Ｐを据え付け、電線共同溝本体１内との間ではケーブル挿通部４２を利用して所定の通線工事を施工する。こうして電線共同溝本体１の上部開口で地上機器Ｐを支持するにつき、電線共同溝本体１上の左右で地上機器Ｐの荷重を支持できることで、地上機器Ｐの設置位置を前後に変更調整して位置決めでき、また各種ケーブルＣの挿通にも何らの障害も生じないのである。
【符号の説明】
【００３７】
Ｂ…縁石                                Ｃ…各種ケーブル
Ｇ…ガードポスト                        Ｐ…地上機器
Ｔ…車道                                Ｗ…歩道域
１…電線共同溝本体                      １Ａ…側壁
２…蓋受枠体                            ３…固定蓋支持枠部
４…機器支持蓋支持枠部                  ５…蓋固定部
６…位置決め調整部                      ７…支持縁
８…調整位置決め孔                      ９…位置決め調整手段
１０…蓋体                              １１…固定蓋
１５…区画壁                            １６…支持底片
２０…機器支持蓋                        ２１…支持枠部
２２…機器支持縁                        ２３…梁片
２４…位置決め調整孔                    ２５…取付ボルト
２６…ナット                            ３０…スペーサー
３１…前後壁                            ３２…左右側壁
３３…支持底板                          ３５…隙間閉塞板
４０…妻壁材                            ４１延長ボックス
４２…ケーブル挿通部
【図１】
2010200559.tif 000003
【図２】
2010200559.tif 000004
【図３】
2010200559.tif 000005
【図４】
2010200559.tif 000006
【図５】
2010200559.tif 000007